(57)【要約】【課題】特定者のみが入場できるようにするとともに、効率よく入場の管理を行うことができる入退場管理システムを実現する。【解決手段】入退場管理システム１００において、通行証を保有する通行者が通過するクリーンルーム４０に、通行者が保有する通行証を検知するリーダ部５０を備え、リーダ部５０が検知した通行証が有する管理データに基づき、制御装置８０が、通行証を保有する通行者が、ドア部から所定の領域に入場することができるか否かを判断するとともに、その通行者は入場できると判断した場合、制御装置８０が電気錠３０を動作させ、ドア部２０を解錠状態に切り替えるようにした。【選択図】図１
2006022524.tif 000002
【特許請求の範囲】
【請求項１】
所定の領域に入場するためのドア部と、
前記ドア部の施錠状態と解錠状態とを切り替え可能な錠部と、
通行証を保有する通行者が通過するゲート部と、
前記ゲート部に備えられ、前記通行者に保有される前記通行証を検知する検知手段と、
前記検知手段が検知した前記通行証が有する管理データに基づき、前記通行証を保有する通行者が、前記ドア部から所定の領域に入場することができるか否かを判断する判断手段と、
前記判断手段が、前記通行証を保有する通行者は入場できると判断した場合、前記錠部を動作させ、前記ドア部を解錠状態に切り替える錠部切替制御手段と、
を備えることを特徴とする入退場管理システム。
【請求項２】
前記ゲート部に、前記通行証を保有する通行者の入退場方向に離間して配設され、当該ゲート部を通過する前記通行者をそれぞれ検出する第１の検出センサと、第２の検出センサと、
前記第１の検出センサと前記第２の検出センサが、前記ゲート部を通過する前記通行証を保有する通行者を検出した順に基づき、前記通行者が前記ドア部から入場したか、退場したかを判別する入退場判別手段と、
前記入退場判別手段が判別した前記通行者の入退場と、前記検知手段が検知した前記通行証が有する管理データに基づき、前記通行証を保有する通行者が、前記ドア部から入場しているか、退場しているかを記録する記録手段と、
を備えることを特徴とする請求項１に記載の入退場管理システム。
【請求項３】
前記所定の領域の環境に関する環境データを取得する環境データ取得手段を備えるとともに、前記環境データ取得手段が取得した前記環境データを、前記記録手段に記録することを特徴とする請求項２に記載の入退場管理システム。
【請求項４】
前記通行証は、アンテナ部と、前記アンテナ部を介して所定の管理データを送受するＩＣチップと、を有する非接触ＩＣタグであることを特徴とする請求項１〜３のいずれか一項に記載の入退場管理システム。
【請求項５】
前記非接触ＩＣタグをヘルメットに備えるとともに、前記通行者は前記ヘルメットを着用して前記ゲート部を通過することを特徴とする請求項４に記載の入退場管理システム。
【発明の詳細な説明】
【技術分野】
【０００１】
本発明は、入退場管理システムに関する。
【背景技術】
【０００２】
従来、特殊な作業現場への作業者の立ち入りを制限するため、その作業現場での作業を行うことができる特定作業者を予め決めておき、その作業現場へ作業者が入場する際、その作業者は特定作業者か否かを現場管理者が確認し、特定作業者のみを入場させるとともに、その入退場時刻を記録するといった管理手法がとられていた。
【０００３】
また、近年、非接触ＩＣタグや非接触ＩＣカードを利用したシステムが多くの分野で注目されており、例えば、非接触ＩＣタグや非接触ＩＣカードを利用した、展示会などの入場者管理システムや、鉄道の自動改札システムなどが知られている（例えば、特許文献１参照。）。
前述の鉄道の自動改札システムでは、通行者がＩＣカードを改札ゲートのカードリーダ部にかざすことにより、改札ゲートの通過の可否が判断され、そのＩＣカードが入退場を許可されるデータを有する場合のみに改札ゲートの一時的な開放が行われるようになっている。
【特許文献１】特開２００２−１４０７４４号公報
【発明の開示】
【発明が解決しようとする課題】
【０００４】
しかしながら、上記従来技術の場合、現場管理者が常に作業者の入退場を監視していなければならないので、効率の悪い管理手法であった。
【０００５】
また、上記特許文献１の場合、通行者は改札ゲートのカードリーダ部に向けてＩＣカードをかざすために、ＩＣカードをポケットやバックなどから取り出さなければならず、その動作が面倒であるという問題があった。
また、このような非接触ＩＣカードシステムを、入退場者を管理する作業現場に適用した場合、作業現場のゲートを通過する作業者は、その作業着が重装備であったり、特に手袋をしていたりすると、ＩＣカードの取り出しが困難となることがあり、そのゲートを入退場する際に手間がかかるので、入退場する効率が悪いという問題があった。
【０００６】
本発明の目的は、特定者のみが入場できるようにするとともに、効率よく入場の管理を行うことができる入退場管理システムを提供することである。
【課題を解決するための手段】
【０００７】
以上の課題を解決するため、請求項１記載の発明は、例えば、図１、図４から図６に示すように、入退場管理システム（１００）であって、
所定の領域（例えば、特定作業領域）に入場するためのドア部（２０）と、
前記ドア部の施錠状態と解錠状態とを切り替え可能な錠部（例えば、電気錠３０）と、
通行証（例えば、非接触ＩＣタグ２）を保有する通行者が通過するゲート部（例えば、クリーンルーム４０）と、
前記ゲート部に備えられ、前記通行者に保有される前記通行証を検知する検知手段（例えば、リーダ部５０）と、
前記検知手段が検知した前記通行証が有する管理データに基づき、前記通行証を保有する通行者が、前記ドア部から所定の領域に入場することができるか否かを判断する判断手段（例えば、制御装置８０）と、
前記判断手段が、前記通行証を保有する通行者は入場できると判断した場合、前記錠部を動作させ、前記ドア部を解錠状態に切り替える錠部切替制御手段（例えば、制御装置８０）と、
を備えることを特徴とする。
【０００８】
請求項２記載の発明は、請求項１に記載の入退場管理システムにおいて、例えば、図１、図４から図６に示すように、前記ゲート部に、前記通行証を保有する通行者の入退場方向に離間して配設され、当該ゲート部を通過する前記通行者をそれぞれ検出する第１の検出センサ（６０ａ）と、第２の検出センサ（６０ｂ）と、
前記第１の検出センサと前記第２の検出センサが、前記ゲート部を通過する前記通行証を保有する通行者を検出した順に基づき、前記通行者が前記ドア部から入場したか、退場したかを判別する入退場判別手段（例えば、制御装置８０）と、
前記入退場判別手段が判別した前記通行者の入退場と、前記検知手段が検知した前記通行証が有する管理データに基づき、前記通行証を保有する通行者が、前記ドア部から入場しているか、退場しているかを記録する記録手段（例えば、ＲＡＭ８０ｃ）と、
を備えることを特徴とする。
【０００９】
請求項３記載の発明は、請求項２に記載の入退場管理システムにおいて、例えば、図４、図６に示すように、
前記所定の領域の環境に関する環境データを取得する環境データ取得手段（例えば、粉塵計７０）を備えるとともに、前記環境データ取得手段が取得した前記環境データを、前記記録手段に記録することを特徴とする。
【００１０】
請求項４記載の発明は、請求項１〜３のいずれか一項に記載の入退場管理システムにおいて、例えば、図３に示すように、
前記通行証は、アンテナ部（２ａ）と、前記アンテナ部を介して所定の管理データを送受するＩＣチップ（２ｂ）と、を有する非接触ＩＣタグ（２）であることを特徴とする。
【００１１】
請求項５記載の発明は、請求項４に記載の入退場管理システムにおいて、例えば、図１、図２に示すように、
前記非接触ＩＣタグをヘルメット（例えば、非接触ＩＣタグ付きヘルメット１０）に備えるとともに、前記通行者は前記ヘルメットを着用して前記ゲート部を通過することを特徴とする。
【発明の効果】
【００１２】
請求項１記載の発明によれば、入退場管理システムは、通行証を保有する通行者が通過するゲート部に、通行者が保有する通行証を検知する検知手段を備えている。そして、検知手段が検知した通行証が有する管理データに基づき、判断手段が、通行証を保有する通行者が、ドア部から所定の領域に入場することができるか否かを判断するとともに、判断手段が通行証を保有する通行者は入場できると判断した場合、錠部切替制御手段が錠部を動作させ、ドア部を解錠状態に切り替えることができる。
つまり、通行証を保有する通行者が、入退場管理システムのゲート部を通過する際に、ゲート部に備えられた検知手段が通行証を検知することにより、入退場管理システムは、その通行証を保有する通行者がドア部から所定の領域に入場することができるか否かを判断するとともに、錠部を動作させて、ドア部の施錠状態と解錠状態とを切り替えることができる。そして、その通行者の入場の可否を、ドア部の施錠状態と解錠状態とによって通行者に通知することができる。
よって、入退場管理システムは、通行証を保有する通行者を、所定の領域に入場することができる特定者として認識し、ドア部を解錠状態とすることで、その特定者のみをその領域に入場できるようにすることができる。一方、通行証を保有しない通行者に対しては、ドア部を施錠状態とすることで、その通行者がその領域に入場できないようにすることができる。
また、このように、錠部を動作させることにより、ドア部の施錠状態と解錠状態とを切り替えることで、通行者の入場の可否を切り替えることができるので、効率よく通行者の入場を管理することができる。
【００１３】
請求項２記載の発明によれば、入退場管理システムのゲート部に、通行者の入退場方向に離間して配設される第１の検出センサと第２の検出センサが、通行証を保有してゲート部を通過する通行者を検出した順に基づき、入退場判別手段は、その通行者が入場したか、退場したかを判別するとともに、入退場判別手段が判別した通行者の入退場と、検知手段が検知した通行証が有する管理データに基づいて、通行証を保有する通行者が、ドア部から入場しているか、退場しているかを記録手段に記録することができる。
つまり、入退場管理システムは、第１の検出センサと第２の検出センサが通行者を検出した順に基づいて、通行者の進行方向を区別して通行者の入退場を判別するとともに、その通行者が保有している通行証が有する管理データに基づいて、通行者を特定することで、その通行者が入退場管理システムのドア部を介して入退場しているか否かを記録することができる。
よって、通行証を保有する通行者の入退場状況の記録管理を容易に行うことができる。
【００１４】
請求項３記載の発明によれば、環境データ取得手段は、所定の領域の環境に関する環境データを取得するとともに、取得した環境データを記録手段に記録することができる。
つまり、入退場管理システムにおいて、通行者が所定の領域に入場しているか、退場しているかといった入退場状況とともに、所定の領域の環境に関する環境データを記録することができるので、通行者が入場した所定の領域の環境が、その通行者に対して何らかの影響があるような場合、その通行者がその領域へ入場したことに応じた通行者へ影響を把握することができる。例えば、その領域に有毒ガスが発生しているような場合、その領域に通行者が入場した時間等に応じて、その通行者の安全管理について行うことができる。
【００１５】
請求項４記載の発明によれば、通行証は、アンテナ部を介して所定の管理データを送受するＩＣチップを有する非接触ＩＣタグである。非接触ＩＣタグは、薄くてコンパクトであるので携帯しやすい。
また、検知手段が非接触ＩＣタグを検知することができる所定の検知エリア内であれば、非接触ＩＣタグが検知手段と接触しなくても、検知手段は非接触ＩＣタグを検知することができるので、入退場管理システムのドア部から所定の領域に入場する通行者は、携帯しやすい非接触ＩＣタグを、検知手段の検知エリア内を通すようにして、ゲート部を通過するように通行すればよい。
よって、通行証として非接触ＩＣタグを利用する入退場管理システムであれば、入退場管理システムのドア部から所定の領域に入場したり、所定の領域から退場したりする通行者は、ゲート部を通過しやすく、効率よく入退場を行うことができる
【００１６】
請求項５記載の発明によれば、非接触ＩＣタグはヘルメットに備えられ、通行者はそのヘルメットを着用してゲート部を通過するようになっている。
つまり、入退場管理システムにおいて、通行者が、非接触ＩＣタグが備えられたヘルメットを着用して通過するゲート部の頭上側に非接触ＩＣタグを検知することができる検知手段を備えれば、ポケットなどに保管する非接触ＩＣタグを取り出して、その非接触ＩＣタグを検知手段にかざしたりする手間を省くことができる。例えば、工事現場などの所定の領域へ、作業者が入退場する際に、検知手段が非接触ＩＣタグを検知したか否かにより、その作業者の入退場の許可、不許可が判断されるような場合に、非接触ＩＣタグが備えられたヘルメットを着用して通行することで非接触ＩＣタグを検知することができれば、作業者がポケットなどに保管する非接触ＩＣタグを取り出して、検知手段にかざすなどする手間を省くことができるので、容易に所定の領域への入退場を行うことができる。
また、非接触ＩＣタグが備えられたヘルメットを着用する通行者は、所定の領域への入退場を行う際に、非接触ＩＣタグを出し入れする必要がないので、両手を空けた状態で入退場を行うことができる。
よって、非接触ＩＣタグを備えたヘルメットは、所定の領域への入退場を容易に行うことに対し、有効に活用することができる。
【発明を実施するための最良の形態】
【００１７】
以下、本発明の実施の形態を詳細に説明する。
本発明に係る入退場管理システム１００は、例えば、清掃工場解体工事や廃棄物焼却施設解体工事など、ダイオキシン類などの有害物質が存在する特定作業現場への作業者の立ち入りを制限するため、その特定作業現場での作業を行う特定作業者を予め決めておくことで、その特定作業者のみが特定作業現場へ入場することができるようにしたり、特定作業者の入退場状況を記録したりし、危険管理領域である特定作業現場に対する特定作業者の入退場を管理するシステムである。
特定作業現場に入退場する作業者は、図１に示すように保護具を着用しなければならない。保護具は、肌の露出を防止したりすることにより、作業者の身の安全を確保するためのものであり、例えば、防塵作業着、手袋、足カバー、防塵・防毒マスク、ゴーグル、ヘルメット等からなる。
【００１８】
まず、本発明に係る入退場管理システム１００が適用された特定作業現場に入退場する作業者が着用するヘルメットについて説明する。
図２に示すように、入退場管理システム１００において使用されるヘルメットは、ヘルメット本体１に、通行証としての非接触ＩＣタグ２が配設されてなる非接触ＩＣタグ付きヘルメット１０である。
【００１９】
ヘルメット本体１は、例えば、絶縁材から成り、ヘルメットを着用する作業者の頭部に対する衝撃を緩和し、ヘルメット着用者の頭部を保護するものである。
【００２０】
非接触ＩＣタグ２は、図３に示すように、アンテナ部２ａと、アンテナ部２ａに接続されるＩＣチップ２ｂと、アンテナ部２ａとＩＣチップ２ｂを覆うシート材２ｃとにより構成されている。
アンテナ部２ａは、アンテナ線が平面状に捲回されてなり、そのアンテナ線の両端部がＩＣチップ２ｂに接続されている。
ＩＣチップ２ｂは、集積回路であり、非接触ＩＣタグ２に割り当てられた管理データであるＩＤ番号を記憶している。また、ＩＣチップ２ｂは、アンテナ部２ａを介して所定の管理データを送受することができる。
シート材２ｃは、例えば、プラスチックシートであり、アンテナ部２ａやＩＣチップ２ｂが損傷しないように保護するとともに、非接触ＩＣタグ２を薄い平板形状に形成するためのものである。
【００２１】
この非接触ＩＣタグ２は、後述する入退場管理システム１００のリーダ部３０に所定の距離近づいたり、リーダ部３０の検知エリアに入ったりすると、リーダ部３０が有するアンテナ（図示省略）と、非接触ＩＣタグ２のアンテナ部２ａとの間で磁気的な結合が生じ、アンテナ部２ａに高周波信号が誘起される。非接触ＩＣタグ２は、この高周波信号に基づく電力（誘導起電力）によりＩＣチップ２ｂが動作するようになっている。そして、非接触ＩＣタグ２は、ＩＣチップ２ｂに記憶するＩＤ番号に関する信号などを、アンテナ部２ａを介して、リーダ部３０に送信するようになっている。
【００２２】
そのため、非接触ＩＣタグ２は、後述する入退場管理システム１００のリーダ部３０が検知しやすい箇所に備えられることが好ましい。
非接触ＩＣタグ２は、ヘルメット本体１の外側表面、ヘルメット本体１の内面のいずれに備えられていてもよく、また、着脱自在であっても、貼付されるなどして固定されていてもよい。また、非接触ＩＣタグ２は、ヘルメット本体１を構成する絶縁材中に埋設されていてもよい。
【００２３】
このような非接触ＩＣタグ付きヘルメット１０は、特定作業現場に入場する作業者が着用しなければならないものであり、非接触ＩＣタグ付きヘルメット１０を着用する作業者の頭部を保護するとともに、特定作業現場に入場する際の通行許可証としての機能を有するものである。
特定作業現場に入場する際の通行許可証としての機能とは、後述する入退場管理システム１００において、非接触ＩＣタグ付きヘルメット１０の非接触ＩＣタグ２を検知するとともに、非接触ＩＣタグ２のＩＣチップ２ｂに記憶されるＩＤ番号に基づき、非接触ＩＣタグ付きヘルメット１０を着用する作業者が、特定作業現場に入場することの許可、不許可が判断されるので、所定のＩＤ番号が割り当てられた非接触ＩＣタグ付きヘルメット１０を通行許可証として着用しなければ、特定作業現場へ立ち入ることができないということである。
【００２４】
次に、入退場管理システム１００について、図１〜図６に基づき説明する。
図１及び図４〜図６に示すように、入退場管理システム１００は、所定の領域である特定作業現場に入場するためのドア部２０と、ドア部２０の施錠状態と解錠状態とを切り替る錠部としての電気錠３０と、ドア部２０の手前に設けられるゲート部としてのクリーンルーム４０と、クリーンルーム４０に備えられ、非接触ＩＣタグ２を検知する検知手段としてのリーダ部５０と、クリーンルーム４０に備えられ、クリーンルーム４０を通過する作業者を検出する第１の検出センサ６０ａと第２の検出センサ６０ｂと、特定作業現場内の粉塵量を測定する環境データ取得手段としての粉塵計７０と、上記各部の動作を制御する制御装置８０等を備えている。
【００２５】
ドア部２０は、特定作業現場へ入場するための入口である。ドア部２０は、通常、特定作業現場と外部とを遮断するように閉じられており、作業員が、特定作業現場へ入場する際や特定作業現場から退場する際に開くようになっている。
【００２６】
電気錠３０は、図４、図６に示すように、ドア部２０の施錠状態と解錠状態とを切り替え可能に備えられる錠であり、通常、ドア部２０が開かないように、施錠状態となっている。そして、後述する制御装置８０の錠部切替制御により、図示しない錠駆動部が動作されて、電気錠３０が解錠状態とされることで、ドア部２０が解錠状態となり、ドア部２０を開くことができるようになっている。
なお、この電気錠３０によって、ドア部２０を開けることができない施錠状態とする対象は、ドア部２０におけるクリーンルーム４０側のドアノブが操作される場合に対してであり、ドア部２０における特定作業現場側のドアノブが操作される際には、常にドア部２０を開けることができるようになっている。
また、解錠状態となった電気錠３０は、所定のタイミング後、自動的に施錠状態に戻り、ドア部２０を施錠するようになっている。
【００２７】
クリーンルーム４０は、特定作業現場へ入場したり、特定作業現場から退場したりする際に、通過しなければならないように、ドア部２０の手前に設けられている。
クリーンルーム４０は、クリーンルーム４０に入室するためのルームドア４１ａが備えられる前壁部４１と、特定作業現場への入退場方向に対する左右の側壁部４２と、前壁部４１と側壁部４２上に配置される天井部４３等により構成されている。
天井部４３には、リーダ部５０が配設されており、側壁部４２には、第１の検出センサ６０ａと第２の検出センサ６０ｂが備えられている。
【００２８】
また、クリーンルーム４０は、クリーンルーム動作部４０ａ（図６参照）としてのエアシャワー部やフィルター部を備えており、クリーンルーム４０内を通過する作業者、特に、特定作業現場から退場する作業者に対し、エアシャワー部（図示省略）からジェット風を吹き付けるとともに、フィルター部（図示省略）がクリーンルーム４０内の空気を吸引し、飛散した塵などを集塵するようになっており、特定作業現場から有害物質を外部に漏出させないようにしている。
なお、このようなクリーンルーム４０における集塵動作は、ドア部２０とクリーンルーム４０のルームドア４１ａとが閉じられた状態で行われるようになっている。そして、特定作業現場から作業者が退場する場合、クリーンルーム４０において所定時間の集塵動作が行われる間、ルームドア４１ａが開かないようにすることが好ましい。
【００２９】
リーダ部５０は、図示しないアンテナと、そのアンテナから高周波信号を出力させる駆動回路（図示省略）を有している。
リーダ部５０は、所定の駆動回路により、例えば、周波数１３．５６（ＭＨｚ）の高周波信号をそのアンテナから出力し、非接触ＩＣタグ２のアンテナ部２ａに高周波信号を誘起させることで、非接触ＩＣタグ２に動作用電力を供給する。
また、リーダ部５０は、非接触ＩＣタグ２のアンテナ部２ａを介して送信された信号を検知することに基づき、非接触ＩＣタグ２を検知する。また、リーダ部５０は、非接触ＩＣタグ２のアンテナ部２ａを介して送信された信号におけるＩＤ番号に関する信号に基づき、リーダ部５０のアンテナに誘起される高周波信号を信号処理し、非接触ＩＣタグ２から送信されたＩＤ番号の情報を取得する。そして、リーダ部５０は、取得したＩＤ番号を、制御装置８０に出力する。
【００３０】
このリーダ部５０が、非接触ＩＣタグ２に動作用電力を供給したり、非接触ＩＣタグ２がアンテナ部２ａを介して送信する信号を検知したりすることができる範囲である検知エリア５０ａは、図５において網掛けで示す部分のように、クリーンルーム４０内における上方側の空間である。この検知エリア５０ａは、例えば、左右の側壁部４２，４２が対向する間であるとともに、高さ１９０ｃｍの天井部４３から下方に９０ｃｍの範囲である。
このような検知エリア５０ａであれば、作業者が非接触ＩＣタグ付きヘルメット１０を着用し、通常歩行姿勢でクリーンルーム４０を通過する際に、非接触ＩＣタグ付きヘルメット１０の非接触ＩＣタグ２が検知エリア５０ａを通過するので、リーダ部５０は、非接触ＩＣタグ付きヘルメット１０の非接触ＩＣタグ２を検知することができる。
特に、作業者が非接触ＩＣタグ付きヘルメット１０を着用し、通常歩行姿勢、通常歩行速度でクリーンルーム４０を通過する際に、より確実にリーダ部５０が非接触ＩＣタグ２を検知することができる検知エリア５０ａを設けるように、リーダ部５０をクリーンルーム４０の天井部４３に配設することが好ましい。
【００３１】
第１の検出センサ６０ａ及び第２の検出センサ６０ｂは、例えば、赤外線センサで構成されており、作業者がドア部２０を出入りする際にクリーンルーム４０を通過する方向である入退場方向に離間して、クリーンルーム４０の内壁側に備えられている。
図４に示すように、第２の検出センサ６０ｂは、クリーンルーム４０におけるドア部２０側に配設されており、第１の検出センサ６０ａは、第２の検出センサ６０ｂより入退場方向にドア部２０から離れた位置でありルームドア４１ａ側に配設されている。
第１の検出センサ６０ａ及び第２の検出センサ６０ｂは、クリーンルーム４０を通過する作業者を検出するとともに、作業者を検出したことに基づく検出信号を、制御装置８０に出力する。
【００３２】
粉塵計７０は、特定作業現場において浮遊する粉塵量を測定することにより、特定作業現場の環境に関する環境データとしての粉塵量データを取得し、その粉塵量データを制御装置８０に出力する。
【００３３】
制御装置８０は、図６に示すように、ＣＰＵ８０ａ、ＲＯＭ８０ｂ、ＲＡＭ８０ｃを備えている。
ＣＰＵ８０ａは、ＲＯＭ８０ｂに格納された入退場管理システム用の制御プログラムに従って、各種の制御動作を実行する。
ＲＯＭ８０ｂには、入退場管理システム１００を制御するための制御プログラムや制御データが書き込まれ、格納されている。この制御データとして、例えば、ドア部２０から特定作業現場への入場が許可されるＩＤ番号データが格納されている。
ＲＡＭ８０ｃには、種々のワークメモリやカウンタなどが設けられており、ＣＰＵ８０ａが上記制御プログラムを実行する際のワークエリアとして使用される。
【００３４】
また、ＲＡＭ８０ｃは、記録手段として、リーダ部５０が検知した、作業者が着用している非接触ＩＣタグ付きヘルメット１０の非接触ＩＣタグ２に関するＩＤ番号を記録し、その非接触ＩＣタグ付きヘルメット１０を着用する作業者が、ドア部２０から入場しているか、退場しているかを記録する。特に、記録手段としてのＲＡＭ８０ｃは、リーダ部５０が非接触ＩＣタグ２を検知した時刻（日時）データとともに、ＩＤ番号を記録する。
また、記録手段としてのＲＡＭ８０ｃは、粉塵計７０が測定した特定作業現場内の粉塵量データを、その測定時刻（日時）データとともに記録する。
【００３５】
そして、制御装置８０は、判断手段として、リーダ部５０が検知した、作業者が着用している非接触ＩＣタグ付きヘルメット１０の非接触ＩＣタグ２のＩＣチップ２ｂが有するＩＤ番号に基づき、その非接触ＩＣタグ付きヘルメット１０を着用している作業者が、ドア部２０から特定作業現場へ入場することができるか否かを判断する制御を行う。
【００３６】
また、制御装置８０は、錠部切替制御手段として、判断手段としての制御装置８０が、リーダ部５０が検知した作業者が着用している非接触ＩＣタグ付きヘルメット１０の非接触ＩＣタグ２に関するＩＤ番号が、ドア部２０からの入場を許可されているＩＤ番号であり、ドア部２０から特定作業現場への入場に対し有効であると判断したことに基づき、施錠状態である電気錠３０の錠駆動部（図示省略）を動作させて、電気錠３０を解錠状態とする制御を行う。
そして、電気錠３０が解錠状態となることで、ドア部２０が解錠状態となるので、作業者がドア部２０を開けることができるようになり、作業者は特定作業現場へ入場することができるようになる。
【００３７】
また、制御装置８０は、入退場判別手段として、非接触ＩＣタグ付きヘルメット１０を着用する作業者がクリーンルーム４０を通過する際に、第１の検出センサ６０ａと第２の検出センサ６０ｂが作業者を検出した順に基づき、作業者が入場したか、退場したかを判別する制御を行う。
第１の検出センサ６０ａと第２の検出センサ６０ｂが、第１の検出センサ６０ａ、第２の検出センサ６０ｂの順に、クリーンルーム４０を通過する作業者を検出した場合、入退場判別手段としての制御装置８０は、作業者はクリーンルーム４０を介してドア部２０から入場したと判別する。
一方、第１の検出センサ６０ａと第２の検出センサ６０ｂが、第２の検出センサ６０ｂ、第１の検出センサ６０ａの順に、クリーンルーム４０を通過する作業者を検出した場合、入退場判別手段としての制御装置８０は、作業者はドア部２０から退場し、クリーンルーム４０を通過したと判別する。
【００３８】
また、制御装置８０は、入退場判別手段としての制御装置８０が判別した、非接触ＩＣタグ付きヘルメット１０を着用する作業者の入退場と、リーダ部５０が検知した、作業者が着用している非接触ＩＣタグ付きヘルメット１０の非接触ＩＣタグ２に関するＩＤ番号とを関連付けて、そのＩＤ番号を制御装置８０のＲＡＭ８０ｃに記憶し、その非接触ＩＣタグ付きヘルメット１０を着用する作業者が、ドア部２０から入場しているか、退場しているかを記録する制御を行う。特に、リーダ部５０が非接触ＩＣタグ２を検知した時刻（日時）データとともに、ＩＤ番号を記録し、入退場時刻（入退場日時）を記録する制御を行う。
【００３９】
また、制御装置８０は、入退場判別手段としての制御装置８０が、作業者が特定作業現場（ドア部２０）から退場すると判別した場合、クリーンルーム４０のクリーンルーム動作部４０ａを動作させる制御を行い、特定作業現場から有害物質を外部に漏出させないようにする。
【００４０】
また、制御装置８０は、粉塵計７０が測定した特定作業現場内の粉塵量データを、その測定時刻（日時）データとともに記録する制御を行う。
【００４１】
また、制御装置８０は、図１、図６に示すように、キーボードなどの入力部８１を備えており、特定作業現場において、作業員が作業する作業場所や作業内容、作業員が着用する保護具の種類等に関するデータを入力することができるようになっており、入力されたデータはＲＡＭ８０ｃに記憶される。
また、制御装置８０は、図１、図６に示すように、ＬＣＤなどの表示部８２を備えており、ＲＡＭ８０ｃに記憶されたＩＤ番号等に基づき、各作業員の特定作業現場への入退場時刻や作業時間、その作業時の粉塵量データ、作業場所、作業内容、着用した保護具の種類等を表示することができるようになっている。また、このように表示する内容を帳票として出力するプリンターを備えてもよい。
【００４２】
次に、入退場管理システム１００の動作について、図７、図８のフローチャートに基づき説明する。
【００４３】
まず、図７のフローチャートに基づき、作業者が特定作業現場へ入場する際の動作について説明する。
特定作業現場に入場するために、入退場管理システム１００のクリーンルーム４０を通過しようとする作業者を、第１の検出センサ６０ａが検出する（ステップＳ１０１）。
【００４４】
制御装置８０は、クリーンルーム４０を通過しようとする作業者が着用する非接触ＩＣタグ付きヘルメット１０の非接触ＩＣタグ２を、リーダ部５０が検知したか否かを判断する（ステップＳ１０２）。
制御装置８０が、リーダ部５０が非接触ＩＣタグ付きヘルメット１０の非接触ＩＣタグ２を検知したと判断すると（ステップＳ１０２；Ｙｅｓ）、リーダ部５０が検知した非接触ＩＣタグ２のＩＣチップ２ｂが有するＩＤ番号に基づき、非接触ＩＣタグ付きヘルメット１０を着用する作業者が、ドア部２０から特定作業現場へ入場できるか否かを判断する（ステップＳ１０３）。
【００４５】
制御装置８０が、リーダ部５０が検知した非接触ＩＣタグ２のＩＣチップ２ｂが有するＩＤ番号が、ドア部２０から特定作業現場への入場に対し有効であると判断し（ステップＳ１０３；Ｙｅｓ）、その判断の後に、第２の検出センサ６０ｂが作業者を検出する（ステップＳ１０４）。
そして、制御装置８０は、作業者がクリーンルーム４０を通過する際に、第１の検出センサ６０ａと第２の検出センサ６０ｂが作業者を検出した順に基づき、作業者の入退場を判別する（ステップＳ１０５）。この場合、第１の検出センサ６０ａ、第２の検出センサ６０ｂの順に作業者を検出したので、作業者は入場するものと判別する。
次いで、制御装置８０は、電気錠３０を解錠状態とし、ドア部２０を開けることができるようにする（ステップＳ１０６）。電気錠３０やドア部２０が解錠状態となったことに伴い、作業者は、特定作業現場に入場することができる。
【００４６】
次いで、制御装置８０は、検知したＩＤ番号とそのＩＤ番号を検知した時刻（日時）をＲＡＭ８０ｃに記憶させて、作業者の入場を記録し（ステップＳ１０７）、動作を終了する。
【００４７】
一方、制御装置８０が、リーダ部５０が検知した非接触ＩＣタグ２のＩＣチップ２ｂが有するＩＤ番号が、ドア部２０から特定作業現場への入場に対し無効であると判断し、（ステップＳ１０３；Ｎｏ）、その判断の後に、第２の検出センサ６０ｂが作業者を検出する（ステップＳ１０８）。
すると、制御装置８０は、電気錠３０やドア部２０の施錠状態を維持する（ステップＳ１０９）。電気錠３０やドア部２０が施錠状態のままであるので、作業者は、ドア部２０から入場することができない。
そして、入退場管理システム１００は、動作を終了する。
【００４８】
また、リーダ部５０が非接触ＩＣタグ付きヘルメット１０の非接触ＩＣタグ２を検知せずに（ステップＳ１０２；Ｎｏ）、第２の検出センサ６０ｂが作業者を検出すると（ステップＳ１１０）、ステップＳ１０９へ進むとともに、電気錠３０やドア部２０の施錠状態を維持し、入退場管理システム１００は、動作を終了する。
【００４９】
次に、図８のフローチャートに基づき、作業者が特定作業現場から退場するの際の動作について説明する。
特定作業現場から退場するために、入退場管理システム１００のクリーンルーム４０を通過しようとする作業者を、第２の検出センサ６０ｂが検出する（ステップＳ２０１）。
次いで、制御装置８０は、リーダ部５０が検知した、非接触ＩＣタグ付きヘルメット１０の非接触ＩＣタグ２のＩＣチップ２ｂが有するＩＤ番号を取得する（ステップＳ２０１）。
そして、第１の検出センサ６０ａが作業者を検出する（ステップＳ２０３）。
【００５０】
次いで、制御装置８０は、作業者がクリーンルーム４０を通過する際に、第１の検出センサ６０ａと第２の検出センサ６０ｂが作業者を検出した順に基づき、作業者の入退場を判別する（ステップＳ２０４）。この場合、第２の検出センサ６０ｂ、第１の検出センサ６０ａの順に作業者を検出したので、作業者は退場するものと判別する。
なお、この間に、クリーンルーム４０のクリーンルーム動作部４０ａ（エアシャワー部、フィルター部）を動作させて、特定作業現場から退場する作業者に付着した塵などを集塵し、特定作業現場から有害物質を外部に漏出させないようにする。
【００５１】
そして、制御装置８０は、検知して取得したＩＤ番号とそのＩＤ番号を検知した時刻（日時）をＲＡＭ８０ｃに記憶させて、作業者の退場を記録し（ステップＳ２０５）、入退場管理システム１００は、動作を終了する。
【００５２】
このように、本発明に係る入退場管理システム１００は、特定作業現場に入場しようとする作業者が着用している非接触ＩＣタグ付きヘルメット１０の非接触ＩＣタグ２を検知し、非接触ＩＣタグ２のＩＣチップ２ｂに記憶されるＩＤ番号に基づき、非接触ＩＣタグ付きヘルメット１０を着用する作業者が、特定作業現場に入場することに対するの許可、不許可を判断することができ、特定作業現場に入場するためのドア部２０の電気錠３０の解錠状態と施錠状態とを切り替えることができる。そして、作業者が特定作業現場に入場することが許可される場合に、ドア部２０を解錠状態とすることにより、作業者が、特定作業現場へ入場することができるようになる。一方、作業者が特定作業現場に入場することが許可されない場合に、ドア部２０を施錠状態とすることにより、作業者が、特定作業現場に入場することができないように制限することができる。
特に、作業者は、非接触ＩＣタグ２を備えた非接触ＩＣタグ付きヘルメット１０を着用し、入退場管理システム１００のクリーンルーム４０を通常歩行姿勢で通過することにより、クリーンルーム４０における作業者の頭上側に配設されたリーダ部５０が、非接触ＩＣタグ付きヘルメット１０の非接触ＩＣタグ２を検知するようになっているので、作業者は、入退場管理システム１００の通行証となる非接触ＩＣタグ２をポケットなどに保管するとともに、特定作業現場へ入場する際に取り出して、その非接触ＩＣタグ２をリーダ部５０にかざしたりする手間を省くことができる。
よって、作業者は、入退場管理システム１００を介し、特定作業現場への入場を容易に効率よく行うことができる。
【００５３】
また、作業者が特定作業現場から退場する場合にも、作業者は、非接触ＩＣタグ２を備えた非接触ＩＣタグ付きヘルメット１０を着用し、入退場管理システム１００のクリーンルーム４０を通常歩行姿勢で通過することにより、リーダ部５０が、非接触ＩＣタグ付きヘルメット１０の非接触ＩＣタグ２を検知し、退場したことが記録されるようになっているので、作業者は、特定作業現場から退場することを容易に効率よく行うことができる。
【００５４】
また、入退場管理システム１００は、特定作業現場へ入場した作業者のＩＤ番号や、特定作業現場から退場した作業者のＩＤ番号を、非接触ＩＣタグ２を検知した入退場時刻（入退場日時）とともに記録することができるので、非接触ＩＣタグ付きヘルメット１０を着用した作業者の、特定作業現場への入退場状況を記録することができる。
よって、作業者の特定作業現場への入退場状況の記録管理を容易に行うことができる。
特に、作業者が特定作業現場へ入退場した状況とあわせて、特定作業現場の環境に関する粉塵量データを記録することができるので、作業者の安全管理、健康管理についても行うことができる。
【００５５】
なお、以上の実施の形態においては、非接触ＩＣタグ２をヘルメット本体１に備えた非接触ＩＣタグ付きヘルメット１０について説明したが、本発明はこれに限定されるものではなく、例えば、非接触ＩＣタグ２は、防塵・防毒マスクに備えるようにしてもよく、また、その他の保護具に備えてもよい。
そして、非接触ＩＣタグ２が備えられた位置に応じて検知エリアを形成するように、リーダ部５０を配設すればよい。
【００５６】
また、以上の実施の形態においては、リーダ部５０をクリーンルーム４０の天井部４３に備える構成について説明したが、本発明はこれに限定されるものではなく、例えば、リーダ部５０を、クリーンルーム４０の側壁部４２にも配設するようにしてもよい。
また、左右の側壁部４２，４２にそれぞれリーダ部５０を備えるようにしてもよい。その場合、側壁部４２に備えるリーダ部５０の高さ位置を調整し、所望する範囲に検知エリアを形成するようにすればよく、また、左右の側壁部４２，４２に備えるそれぞれのリーダ部５０の高さ位置を異ならせることによって、より広い範囲の検知エリアを形成するようにしてもよい。
【００５７】
また、以上の実施の形態においては、リーダ部５０が検知した、作業者が着用している非接触ＩＣタグ付きヘルメット１０の非接触ＩＣタグ２に関するＩＤ番号を、制御装置８０のＲＡＭ８０ｃに記録し、その非接触ＩＣタグ付きヘルメット１０を着用する作業者が、ゲート部２０から入場しているか、退場しているかを記録するとしたが、本発明はこれに限定されるものではなく、ＩＤ番号等の記録は、ＲＡＭ８０ｃ以外の記録媒体に記録するようにしてもよい。
【００５８】
また、その他、具体的な細部構造等についても適宜に変更可能であることは勿論である。
【図面の簡単な説明】
【００５９】
【図１】本発明に係る入退場管理システムの概略を示す斜視図である。
【図２】非接触ＩＣタグ付きヘルメットを示す斜視図である。
【図３】非接触ＩＣタグを示す平面図である。
【図４】入退場管理システムの概略構成を示す上面図である。
【図５】入退場管理システムにおける検知エリアの説明図である。
【図６】入退場管理システムの要部構成を示すブロック図である。
【図７】入退場管理システムの動作を示すフローチャートである。
【図８】入退場管理システムの動作を示すフローチャートである。
【符号の説明】
【００６０】
１      ヘルメット本体
２      非接触ＩＣタグ（通行証）
２ａ    アンテナ部
２ｂ    ＩＣチップ
１０    非接触ＩＣタグ付きヘルメット（ヘルメット）
２０    ドア部
３０    電気錠（錠部）
４０    クリーンルーム（ゲート部）
５０    リーダ部（検知手段）
６０ａ  第１の検出センサ
６０ｂ  第２の検出センサ
７０    粉塵計（環境データ取得手段）
８０    制御装置（判断手段、錠部切替制御手段、入退場判別手段）
８０ａ  ＣＰＵ
８０ｂ  ＲＯＭ
８０ｃ  ＲＡＭ（記録手段）
１００  入退場管理システム
【図１】
2006022524.tif 000003
【図２】
2006022524.tif 000004
【図３】
2006022524.tif 000005
【図４】
2006022524.tif 000006
【図５】
2006022524.tif 000007
【図６】
2006022524.tif 000008
【図７】
2006022524.tif 000009
【図８】
2006022524.tif 000010